(57)【要約】【課題】  鼻腔内の任意の特定部位に散布でき、効率的な投与を行うことができる鼻腔用投薬器を提供する。【解決手段】  粉体状の薬剤を収容する薬剤収容室２１と、薬剤収容室２１内に空気を供給するポンプ手段３と、ポンプ手段３から供給される空気によって薬剤収容室２１内の薬剤が導かれ、この導かれた薬剤を鼻腔内に噴射する噴霧口２９を有する一対のノズル５，５とを備えた鼻腔用投薬器において、一対のノズル５，５にノズルアダプタ６，６をそれぞれ回転自在に取り付け、各ノズルアダプタ６，６の先端部にアダプタ噴霧口３２を設け、ノズルアダプタ６，６の回転によってアダプタ噴霧口３２の向きを調整するようにした。【選択図】      図２
2006087791.tif 000002
【特許請求の範囲】
【請求項１】
粉体状の薬剤を収容する薬剤収容手段と、該薬剤収容手段内に空気を供給するポンプ手段と、該ポンプ手段から供給される空気によって前記薬剤収容手段内の薬剤が導出され、この導出された薬剤を噴霧口を介して鼻腔内に噴射するノズルとを備えた鼻腔用投薬器において、
前記ノズルに、薬剤の噴霧方向を調整する噴霧方向調整手段を設けたことを特徴とする鼻腔用投薬器。
【請求項２】
前記噴霧方向調整手段は、前記ノズルに回動自在に取り付けられ、前記ノズルの噴霧口に連通したアダプタ噴霧口を有するノズルアダプタであることを特徴とする請求項１に記載の鼻腔用投薬器。
【請求項３】
前記アダプタ噴霧口は、前記ノズルの先端部に放射状に設けられた複数の孔より構成されたことを特徴とする請求項２に記載の鼻腔用投薬器。
【発明の詳細な説明】
【技術分野】
【０００１】
本発明は、粉体状の薬剤を鼻腔内に投与するための鼻腔用投薬器に関する。
【背景技術】
【０００２】
一般に、鼻アレルギー等の患者には粉状の薬剤を鼻腔内に投与して治療する方法が採用され、この治療に使用する種々の鼻腔用投薬器が従来より種々提案されている（例えば、特許文献１参照）。
【０００３】
この特許文献１に記載された鼻腔用投薬器は、投薬器本体と、該投薬器本体の先端に固定され、患者の鼻腔内に挿入されるノズルと、該ノズルの反対側で投薬器本体に取り付けされたゴム製のポンプ部材とを備えている。
【０００４】
この鼻腔用投薬器の使用手順を説明する。まず、患者の鼻腔にノズルを挿入し、この状態で、ポンプ部材を押圧してポンプ室を圧縮変形する。次いで、ポンプ室内の空気が薬剤収容室に供給され、薬剤収容室が加圧されると、薬剤収容室の薬剤が空気と共に薬剤通路を通って鼻腔内の奥の部位に噴射される。
【特許文献１】特公昭６３−６０２４号公報
【発明の開示】
【発明が解決しようとする課題】
【０００５】
ところで、薬剤の種類によっては、薬効が発現する鼻腔内の部位が特定部位に限定される場合がある。従って、前記従来例のように鼻腔内の奥に限定して散布するような鼻腔用投薬器では、前述した薬剤について効率的な投与を行うことができないという問題がある。
【０００６】
また、前記従来例の鼻腔用投薬器は、薬剤の噴射方向が鼻腔の奥の部位に向かう方向であるため、薬剤の鼻腔内滞留時間が全体として短いという問題がある。
【０００７】
本発明は前述した事情に鑑みてなされたものであり、本発明の目的は、薬剤の種類に応じて薬効が発現する鼻腔内の特定部位に噴霧方向を調整すると共に、薬剤の鼻腔内滞留時間を長くすることにより、効率的な薬剤投与を行うことができる鼻腔用投薬器を提供することにある。
【課題を解決するための手段】
【０００８】
前記の目的を達成するために、請求項１に記載の発明は、薬剤収容手段とポンプ手段とノズルとを備え、ポンプ手段から供給された空気によって薬剤収容手段内の薬剤をノズルの噴霧口より鼻腔内に噴霧する鼻腔用投薬器において、薬剤の噴霧方向を調整する噴霧方向調整手段を設けたことをことを特徴とする。
【０００９】
また、請求項２に記載の発明は、請求項１に記載の鼻腔用投薬器であって、前記噴霧方向調整手段は、前記ノズルに回動自在に取り付けられ、前記ノズルの噴霧口に連通したアダプタ噴霧口を有するノズルアダプタであることを特徴としている。
【００１０】
さらに、請求項３に記載の発明は、請求項２に記載の鼻腔用投薬器であって、前記アダプタ噴霧口は、前記ノズルの先端部に放射状に設けられた複数の孔より構成されたことを特徴とする。
【発明の効果】
【００１１】
請求項１の発明によれば、鼻腔内の特定部位に向けて集中的な散布ができるため、薬効が発現する部位が鼻腔内の所定部位に限定されている場合に、効率的な投与を行うことができる。また、薬効の発現があまり期待できない部位への散布を回避できるため、一回の投薬の量を減らすという効率的な投与を行うことができる。
【００１２】
請求項２の発明によれば、既存の鼻腔用投薬器にノズルアダプタを取り付けることによって鼻腔の特定部位に集中的に散布でき、既存の鼻腔用投薬器を有効利用できる。
【００１３】
請求項３の発明によれば、薬剤が鼻腔の内周部に向かって、該内周部のほぼ全周に亘って噴射されるため、散布した薬剤の鼻腔内滞留時間を全般的に長くでき、効率的な投与を行うことができる。
【発明を実施するための最良の形態】
【００１４】
[第１実施形態]
以下、本発明の第１実施形態について図面を参照して説明する。
【００１５】
図１〜図３は第１実施形態を示し、図１は鼻腔用投薬器の正面図、図２は鼻腔用投薬器の断面図、図３は鼻腔用投薬器の要部拡大断面図である。
【００１６】
図１及び図２において、鼻腔用投薬器１は、カプセルホルダ２と、該カプセルホルダ２の下方に固定されたポンプ手段３と、カプセルホルダ２の上方に設けられたベース本体４と、該ベース本体４の上方に突設された一対のノズル５，５と、この一対のノズル５，５に取り付けられ、噴霧方向調整手段である一対のノズルアダプタ６，６とを備えている。
【００１７】
カプセルホルダ２は、複数の段差円筒状を有するホルダ固定部１０と、このホルダ固定部１０の内周側に配置され、軸方向にのみ変移可能なホルダ可動部１１とから構成されている。ホルダ可動部１１は、ホルダ固定部１０の上端側に突出する雄ネジ部１１ａを有する。
【００１８】
ポンプ手段３は、ホルダ固定部１０に固定された円筒状でゴム製のポンプ部材１２と、該ポンプ部材１２とホルダ固定部１０に囲まれて形成されたポンプ室１３と、該ポンプ室１３と外部とを連通する空気吸入口１５と、薬剤収納手段である薬剤収容室２１内に連通する空気排気口１７とを備えている。空気吸入口１５には、ポンプ室１３が加圧されると閉じ、減圧されると開く開閉弁１４が付設されている。空気排気口１７には、ポンプ室１３が減圧されると閉じ、加圧されると開く開閉弁１６が付設されている。空気排気口１７は、ホルダ固定部１０の通路１８とホルダ可動部１１の通路１９からなる空気供給通路２０を介して後述する薬剤収容室２１内の下端に連通している。
【００１９】
ベース本体４は、雌ネジ部４ａを有し、この雌ネジ部４ａにホルダ可動部１１の雄ネジ部１１ａを螺入することによってホルダ固定部１０の上面に取り付けられている。ベース本体４とホルダ可動部１１の双方によって内部に薬剤収容室２１が設けられている。薬剤収容室２１は、ホルダ固定部１０をベース本体４より取り外した状態では２つに分割され、この分割状態とすることによって薬剤収容室２１内に粉体状の薬剤が詰め込まれたカプセル２２を収容する。
【００２０】
薬剤収容室２１の上方及び下方を臨む各位置には、第１孔開け針２３と第２孔開け針２４がそれぞれ配置されている。第１孔開け針２３は、図１に示すように、ベース本体４の外部に配置された操作レバー２５に連動し、操作レバー２５をＡ矢印方向に操作することによって薬剤収容室２１内のカプセル２２の殻の上端に穿孔する。第２孔開け針２４は、ホルダ固定部１０に固定され、薬剤収容室２１内にカプセル２２を収容してカプセルホルダ２にベース本体４を取り付ける際にカプセル２２の殻の下端に穿孔する。
【００２１】
また、図２に示すように、ベース本体４には、薬剤収容室２１内の上端に一端が開口し、途中で左右２つに分岐された薬剤通路２６，２６が設けられている。この分岐した薬剤通路２６，２６の各他端は左右一対のノズル装着孔２７，２７の下面にそれぞれ開口されている。左右一対のノズル装着孔２７，２７は、所定の間隔を置いてベース本体４の上端部に形成されている。
【００２２】
図３に詳しく示すように、一対のノズル５，５は、一対のノズル装着孔２７にそれぞれ回転自在に装着されている。各ノズル５は、ノズル装着孔２７に挿入される軸部５ａと、この軸部５ａに一体に設けられたノズル本体５ｂとから構成されている。ノズル本体５ｂは、ベース本体４より突出し、鼻腔に挿入できる寸法の円筒状に形成されている。ノズル本体５ｂの中心軸Ｃ２は、軸部５ａの中心軸Ｃ１に対して偏芯した位置に設定されている。一対のノズル５，５をベース本体４に対して回転すると、この偏芯によって一対のノズル本体５ｂ，５ｂの間隔を可変できるようになっている。
【００２３】
各ノズル５には薬剤通路２８が形成され、該薬剤通路２８の一端は軸部５ａの中心軸Ｃ１を中心として開口されている。薬剤通路２８の他端は、噴霧口２９として構成され、この噴霧口２９はノズル本体５ｂの先端面で、且つ、ノズル本体５ｂの中心軸Ｃ２を中心として開口されている。つまり、ノズル５の薬剤通路２８は、斜めに傾斜した通路に形成されている。
【００２４】
噴霧方向調整手段である一対のノズルアダプタ６，６は、一対のノズル５，５にそれぞれリングブラケット３０を介して回転自在に取り付けられている。各ノズルアダプタ６は、各ノズル本体５ｂの外周を被うように配置され、各ノズル本体５ｂの中心軸Ｃ２を中心として回転される。つまり、各ノズルアダプタ６は、一対のノイズ間隔を維持しつつ回転位置を可変できる。
【００２５】
各ノズルアダプタ６には、各ノズル５の噴霧口２９に一端が開口する薬剤通路延長部３１が設けられている。この薬剤通路延長部３１の一端は、中心軸Ｃ２を中心に開口されており、ノズルアダプタ６の回転位置に係わらずノズル５側の薬剤通路２８の開口位置に常に一致するようになっている。この薬剤通路延長部３１の他端は、アダプタ噴霧口３２として構成されている。アダプタ噴霧口３２は、ノズルアダプタ６の鼻腔の内周部に対向する先端部に開口されている。以上により、アダプタ噴霧口３２は、ノズルアダプタ６の回転によって噴霧方向を調整できるよう構成されている。
【００２６】
次に、鼻腔用投薬器１の投薬作業を説明する。
【００２７】
一対のノズル間隔が患者の左右の鼻腔間隔に合っていない場合には、一対のノズル５，５をベース本体４に対して回転し、ノズル間隔を患者の左右の鼻腔間隔に合わせる。また、一対のノズルアダプタ６，６を各ノズル５，５に対して回転し、各ノズルアダプタ６のアダプタ噴霧口３２を所望の向きに調整する。具体的には、アダプタ噴霧口３２の向きを、当該投薬の実効が得られる鼻腔の特定部位に対向する位置となるように調整する。そして、薬剤収容室２１内に薬剤のカプセル２２を収容し、カプセル２２の上下２箇所に穿孔する。
【００２８】
このように各調整を終えた後に、一対のノズルアダプタ６，６及びノズル５，５を患者の左右の鼻腔に挿入する。次に、ポンプ部材１２を押圧してポンプ室１３を圧縮変形すると、空気吸入口１５側の開閉弁１４が閉位置に、空気排気口１７側の開閉弁１６が開位置となり、ポンプ室１３の空気が空気排気口１７より空気供給通路２０を通って薬剤収容室２１内に供給される。これにより薬剤収容室２１が加圧されると、薬剤収容室２１の薬剤が空気と共に薬剤通路２６，２８及び薬剤通路延長部３１を通って圧送され、薬剤が各ノズルアダプタ６のアダプタ噴霧口３２より左右の鼻腔内に噴射される。各アダプタ噴霧口３２は、鼻腔内の特定部位に向けて配置されているため、所望の鼻腔の特定部位に向けて集中的な散布がなされる。従って、薬効が発現する鼻腔の部位が所定位置に限定されている場合に、効率的な投与を行うことができる。また、薬効の発現があまり期待できない部位への散布を回避できるため、一回の投薬の量を減らすことができる。
【００２９】
この第１実施形態では、噴霧方向調整手段は、一対のノズル５，５に取り付けるノズルアダプタ６，６にて構成したので、既存の鼻腔用投薬器にノズルアダプタ６，６を取り付けることによって鼻腔の特定部位に散布でき、従って、既存の鼻腔用投薬器を有効利用できる。
【００３０】
なお、噴霧方向調整手段としては、種々の構造が考えられ、ノズル５自体に噴霧方向調整手段を付設しても良い。例えば、前記構成において、軸部５ａにノズル本体５ｂを回転自在に設け、このノズル本体５ｂの先端部に噴霧口２９を設けるようなノズルに構成とすれば、ノズル本体５ｂの回転によって噴霧口２９の向き、つまり、薬剤の噴霧方向を調整できる。
【００３１】
この第１実施形態では、ベース本体４に左右一対のノズル５，５を突設したので、左右の鼻腔内に薬剤を一度に散布できる。
【００３２】
この第１実施形態では、ベース本体４に一対のノズル５，５を回転自在に支持し、この中心軸Ｃ１に対して偏芯する位置に各ノズル５のノズル本体５ｂを設け、この各ノズル本体５ｂにノズルアダプタ６を回転自在にそれぞれ取り付けたので、一対のノズル間隔の調整と噴霧方向の調整を別個独立に行うことができる。つまり、一対のノズル間隔の調整を行い、噴霧方向の調整を行うことができる。
【００３３】
この第１実施形態では、薬剤収容室２１内にカプセル２２を収容するものについて説明したが、薬剤収容室２１内に別体の供給器具などによってカプセル無しの薬剤を直接に投入するようにしても良いことはもちろんである。
【００３４】
[第２実施形態]
以下、本発明の第２実施形態について図面を参照して説明する。
【００３５】
図４〜図７は第２実施形態を示し、図４はノズルの正面図、図５はノズルの断面図、図６はノズルの拡大側面図、図７は図６のＢ−Ｂ線断面図である。
【００３６】
この第２実施形態の鼻腔用投薬器（図示せず）は、前記第１実施形態のものと比較すると、ベース本体（図示せず）に回転自在に装着される左右一対のノズル４０，４０の構成が相違し、且つ、各ノズル４０にはノズルアダプタを取り付けていない。他の構成は同一であるため、重複説明を回避するべくその説明を省略し、異なる構成であるノズル４０のみを説明する。
【００３７】
図４及び図５に示すように、ノズル４０は、前記１実施形態と同様に、ベース本体のノズル装着孔に挿入される軸部４０ａと、この軸部４０ａに一体に設けられたノズル本体４０ｂとから構成されている。軸部４０ａは、ベース本体のノズル装着孔に中心軸Ｃ１を中心に回転自在に支持されている。ノズル本体４０ｂは、ベース本体より突出し、鼻腔に挿入できる円筒状に形成されている。ノズル本体４０ｂは、軸部４０ａの中心軸Ｃ１に対して偏芯した位置に中心軸Ｃ２が設定されている。ノズル４０をベース本体に対して回転すると、この偏芯によって一対のノズル間隔（正確には、ノズル本体４０ｂ，４０ｂの間隔）を可変できるようになっている。
【００３８】
ノズル４０には、薬剤通路４１が設けられている。薬剤通路４１の一端は、軸部４０ａの中心軸Ｃ１を中心として開口され、ノズル４０の回転位置にかかわらずベース本体の薬剤通路に常に連通するようになっている。
【００３９】
図６及び図７に詳しく示すように、薬剤通路４１の他端側は、ノズル４０の先端面ではなく、ノズル４０の鼻腔の内周部に対向する周面４３に向かって４方向に放射状に分岐されている。この４方向に放射状に延びた各分岐路４１ａの端に周面４３に開口する孔４２ａが形成されている。この４つの孔４２ａによって噴霧口４２が構成されている。つまり、噴霧口４２は、ノズル４０の鼻腔の内周部に対向する周面４３に放射状に開口された４つの孔４２ａより構成されている。
【００４０】
この第２実施形態においても、前記第１実施形態と同様に、ポンプ室（図示せず）の圧縮変形によって薬剤収容室（図示せず）内の薬剤が薬剤通路（図示せず）を介してノズル４０の噴霧口４２に達する。そして、噴霧口４２は、ノズル４０の鼻腔の内周部に対向する面に放射状に開口された４つの孔４２ａより構成されているので、薬剤が鼻腔の内周部に向かって、該内周部のほぼ全周に亘って噴霧される。従って、散布した薬剤の鼻腔内滞留時間が全般的に長く、効率的な投与を行うことができる。
【００４１】
つまり、第１実施形態の鼻腔用投薬器１は、薬効が発現する鼻腔の部位が所定位置に限定されている場合に使用し、第２実施形態の鼻腔用投薬器（図示せず）は、薬効が発現する鼻腔の部位が所定位置に限定されていない場合に使用すれば効果的である。
【００４２】
なお、この第２実施形態では、噴霧口４２は、放射状の４つの孔４２ａから構成されているが、２つ以上の孔から構成しても良いことはもちろんである。
【００４３】
また、この発明は、次のような別の実施形態に具現化することができ、以下の別の実施形態において前記実施形態と同様な作用及び効果を得ることができる。
【００４４】
（１）前記第１実施形態において、一対のノズル５，５に、噴霧方向を調整できる一対のノズルアダプタ６，６を取り付けるような構成とした。これに対し、一対のノズル５，５自体に噴霧方向を調整できる手段を設けるような構成にしても良い。このような構成とすることにより、ノズルアダプタ６を取り付ける必要がなく、部品点数の削減等になるという効果が得られる。
【００４５】
（２）前記第１及び第２実施形態において、ノズル５，４０は、軸部５ａ，４０ａと、この軸部５ａ，４０ａの軸に対して同一位置を中心軸とするノズル本体５ｂ，４０ｂとから成る構成にしても良い。
【００４６】
さらに、前記実施形態から把握し得る請求項以外の技術思想について、以下にその効果と共に記載する。
【００４７】
（イ）請求項１〜請求項３に記載の鼻腔用投薬器において、ノズルは左右一対であることを特徴とする鼻腔用投薬器。
【００４８】
この構成によれば、左右の鼻腔内に薬剤を一度に散布できる。
【００４９】
（ロ）前記（イ）項に記載の鼻腔用投薬器において、一対のノズルは、ベース本体に回転自在に支持された軸部と、この軸部に一体で、軸部の回転中心に対して偏芯する位置に設けられたノズル本体とから構成し、この各ノズル本体にノズルアダプタを回転自在にそれぞれ取り付けたことを特徴とする鼻腔用投薬器。
【００５０】
この構成によれば、一対のノズル間隔の調整と噴霧方向の調整を別個独立に行うことができる。つまり、一対のノズル間隔の調整を行い、且つ、噴霧方向の調整を行うことができる。
【００５１】
（ハ）請求項１に記載の鼻腔用投薬器において、噴霧方向調整手段は、軸部と該軸部に回転自在に支持されたノズル本体とを備え、このノズル本体の鼻腔の内周部に対向する面に噴霧口を設けたノズルにて構成されたことを特徴とする鼻腔用投薬器。
【００５２】
このように構成すれば、ノズルアダプタを取り付ける必要がなく、ノズル本体の回転によって噴霧口の向き、即ち、薬剤の噴霧方向を調整できる。
【図面の簡単な説明】
【００５３】
【図１】本発明の第１実施形態を示し、鼻腔用投薬器の正面図である。
【図２】本発明の第１実施形態を示し、鼻腔用投薬器の断面図である。
【図３】本発明の第１実施形態を示し、鼻腔用投薬器の要部拡大断面図である。
【図４】本発明の第２実施形態を示し、ノズルの正面図である。
【図５】本発明の第２実施形態を示し、ノズルの断面図である。
【図６】本発明の第２実施形態を示し、ノズルの拡大側面図である。
【図７】本発明の第２実施形態を示し、図６のＢ−Ｂ線断面図である。
【符号の説明】
【００５４】
１  鼻腔用投薬器
３  ポンプ手段
５，４０  ノズル
６  ノズルアダプタ（噴霧方向調整手段）
２１  薬剤収容室（薬剤収容手段）
２９，４２  噴霧口
３２  アダプタ噴霧口
４２ａ  孔
【図１】
2006087791.tif 000003
【図２】
2006087791.tif 000004
【図３】
2006087791.tif 000005
【図４】
2006087791.tif 000006
【図５】
2006087791.tif 000007
【図６】
2006087791.tif 000008
【図７】
2006087791.tif 000009